(57)【要約】【課題】体圧を良好に分散させることができる乗物用シートを提供する。【解決手段】車両用シートＳは、左右に離間して配置された一対のサイドフレーム１１を有するシートクッションフレームＦ１と、シートクッションフレームＦ１の上側を覆うシートクッションパッドと、一対のサイドフレーム１１の間に配置され、シートクッションフレームＦ１に架設された布状支持部材２０とを備える。布状支持部材２０は、乗員からの荷重をシートクッションパッドを介して下から支持し、乗員の座骨に対応する座骨対応部２１が、当該座骨対応部２１の周囲の部分よりも支持力が弱く形成されている。【選択図】図２
2020044878.tif 000002
【特許請求の範囲】
【請求項１】
左右に離間して配置された一対のサイドフレームを有するシートクッションフレームと、
前記シートクッションフレームの上側を覆うシートクッションパッドと、
前記一対のサイドフレームの間に配置され、前記シートクッションフレームに架設された布状支持部材とを備え、
前記布状支持部材は、乗員からの荷重を前記シートクッションパッドを介して下から支持し、乗員の座骨に対応する座骨対応部が、当該座骨対応部の周囲の部分よりも支持力が弱く形成されていることを特徴とする乗物用シート。
【請求項２】
前記布状支持部材は、乗員の尾骨に対応する尾骨対応部が、当該尾骨対応部の周囲の部分よりも支持力が弱く形成されていることを特徴とする請求項１に記載の乗物用シート。
【請求項３】
前記座骨対応部は、前記尾骨対応部よりも支持力が弱く形成されていることを特徴とする請求項２に記載の乗物用シート。
【請求項４】
前記シートクッションフレームは、前記一対のサイドフレームの前端部同士を連結するフロントフレームと、前記一対のサイドフレームの後端部同士を連結するリアフレームとを有し、
前記布状支持部材を、前記フロントフレームと前記リアフレームに架設するための前後方向に延びる一対の架設部材をさらに備え、
前記一対の架設部材は、
前記布状支持部材の左右の縁部に沿って配置されて前記左右の縁部を支持する中間部と、
前記フロントフレームに支持された前支持部と、
前記リアフレームに支持された後支持部と、を有することを特徴とする請求項１から請求項３のいずれか１項に記載の乗物用シート。
【請求項５】
前記中間部は、底部と、前記底部と前記前支持部を繋ぎ、前側が上に位置するように底部に対して傾斜する前傾斜部と、前記底部と前記後支持部を繋ぎ、後側が上に位置するように前記底部に対して傾斜する後傾斜部とを有し、
前記座骨対応部は、前後方向における位置が前記底部と前記前傾斜部の両方と重なっていることを特徴とする請求項４に記載の乗物用シート。
【請求項６】
前記布状支持部材は、乗員の尾骨に対応する尾骨対応部が、当該尾骨対応部の周囲の部分よりも支持力が弱く形成され、前記尾骨対応部は、前後方向において、前記底部の範囲に位置していることを特徴とする請求項５に記載の乗物用シート。
【請求項７】
前記一対のサイドフレームのそれぞれに固定された一対の側部支持部材であって、前記布状支持部材を右側の前記サイドフレームおよび左側の前記サイドフレームに連結する一対の側部支持部材をさらに備え、
前記一対の側部支持部材は、それぞれ、前記中間部に連結されていることを特徴とする請求項４から請求項６のいずれか１項に記載の乗物用シート。
【請求項８】
前記一対のサイドフレームのそれぞれに固定された一対の側部支持部材であって、前記布状支持部材を右側の前記サイドフレームおよび左側の前記サイドフレームに連結する一対の側部支持部材をさらに備え、
前記一対の側部支持部材は、それぞれ、前記布状支持部材の左右の側部に連結され、
前記側部支持部材が前記布状支持部材に連結されている連結部の少なくとも一部は、前後方向における位置が、前記座骨対応部の位置と重なることを特徴とする請求項１から請求項７のいずれか１項に記載の乗物用シート。
【請求項９】
前記連結部は、前後方向に複数並んで設けられていることを特徴とする請求項８に記載の乗物用シート。
【請求項１０】
前記布状支持部材は、乗員の尾骨に対応する尾骨対応部が、当該尾骨対応部の周囲の部分よりも支持力が弱く形成され、前記側部支持部材が前記布状支持部材に連結されている連結部の少なくとも一部は、前後方向における位置が、前記尾骨対応部の位置と重なることを特徴とする請求項８または請求項９に記載の乗物用シート。
【発明の詳細な説明】
【技術分野】
【０００１】
本発明は、自動車などの乗物に搭載される乗物用シートに関する。
【背景技術】
【０００２】
自動車などの乗物に搭載される乗物用シートは、シートクッションパッドの下に、複数のＳバネを左右または前後に架設し、乗員の荷重をＳバネにより受ける構造が一般的に採用されている。また、このＳバネに代えて、不織布などの布状の部材を線状部材を介してシートフレームに架設し、布状の部材で乗員の荷重を受ける構造も知られている（特許文献１）。
【先行技術文献】
【特許文献】
【０００３】
【特許文献１】実開昭５８−８２１６２号公報
【発明の概要】
【発明が解決しようとする課題】
【０００４】
ところで、長時間座っても快適なシートにするためには、着座時に体にかかる圧力（体圧）が良好に分散され、局部的に高い圧力がかからないようにすることが求められる。
【０００５】
そこで、本発明は、体圧を良好に分散させることができる乗物用シートを提供することを目的とする。
【課題を解決するための手段】
【０００６】
前記した目的を達成するため、本発明の乗物用シートは、左右に離間して配置された一対のサイドフレームを有するシートクッションフレームと、シートクッションフレームの上側を覆うシートクッションパッドと、一対のサイドフレームの間に配置され、シートクッションフレームに架設された布状支持部材とを備える。布状支持部材は、乗員からの荷重をシートクッションパッドを介して下から支持し、乗員の座骨に対応する座骨対応部が、当該座骨対応部の周囲の部分よりも支持力が弱く形成されていることを特徴とする。
【０００７】
このような構成によれば、布状支持部材がＳバネ等に比較して変形しやすいことによって、乗員の体形に馴染み、体圧が分散されやすい。その上、布状支持部材は、乗員の座骨に対応する座骨対応部が、当該座骨対応部の周囲よりも支持力が弱くなっているので、最も体圧が大きくなりやすい座骨付近の体圧を良好に分散させることができる。
【０００８】
前記した乗物用シートにおいて、布状支持部材は、乗員の尾骨に対応する尾骨対応部が、当該尾骨対応部の周囲の部分よりも支持力が弱く形成されていてもよい。
【０００９】
このような構成によれば、尾骨付近の体圧を良好に分散させることができる。
【００１０】
この場合、座骨対応部は、尾骨対応部よりも支持力が弱く形成されていることが望ましい。
【００１１】
前記した乗物用シートにおいて、シートクッションフレームは、一対のサイドフレームの前端部同士を連結するフロントフレームと、一対のサイドフレームの後端部同士を連結するリアフレームとを有することができる。そして、布状支持部材を、フロントフレームとリアフレームに架設するための前後方向に延びる一対の架設部材をさらに備えることができる。この場合、一対の架設部材は、布状支持部材の左右の縁部に沿って配置されて左右の縁部を支持する中間部と、フロントフレームに支持された前支持部と、リアフレームに支持された後支持部と、を有することができる。
【００１２】
この場合、中間部は、底部と、底部と前支持部を繋ぎ、前側が上に位置するように底部に対して傾斜する前傾斜部と、底部と後支持部を繋ぎ、後側が上に位置するように底部に対して傾斜する後傾斜部とを有していることが望ましい。そして、座骨対応部は、前後方向における位置が底部および前傾斜部の両方と重なっていてもよい。
【００１３】
架設部材が、底部と、前傾斜部と、後傾斜部とを有することで、布状支持部材が乗員の体形に馴染み、体圧を良好に分散させることができる。また、座骨対応部の前後方向における位置が底部および前傾斜部の両方と重なっていることで、座骨付近の体圧を良好に分散させることができる。
【００１４】
布状支持部材は、乗員の尾骨に対応する尾骨対応部が、当該尾骨対応部の周囲の部分よりも支持力が弱く形成され、尾骨対応部は、前後方向において、底部の範囲に位置していることが望ましい。
【００１５】
このような構成によれば、尾骨付近の体圧を良好に分散させることができる。
【００１６】
前記した乗物用シートは、一対のサイドフレームのそれぞれに固定された一対の側部支持部材であって、布状支持部材を右側のサイドフレームおよび左側のサイドフレームに連結する一対の側部支持部材をさらに備えることができる。一対の側部支持部材は、それぞれ、中間部に連結されていることが望ましい。
【００１７】
このような構成によれば、側部支持部材によって、架設部材を支持し、それにより布状支持部材に局部的な力を与えることなく布状支持部材を支持することができる。また、側部支持部材によって、乗員の側部を支えることができるので、座骨付近の体圧を良好に分散させることができる。
【００１８】
前記した乗物用シートは、一対のサイドフレームのそれぞれに固定された一対の側部支持部材であって、布状支持部材を右側のサイドフレームおよび左側のサイドフレームに連結する一対の側部支持部材をさらに備えることができる。一対の側部支持部材は、それぞれ、布状支持部材の左右の側部に連結されていてもよい。そして、側部支持部材が布状支持部材に連結されている連結部の少なくとも一部は、前後方向における位置が、座骨対応部の位置と重なることが望ましい。
【００１９】
このように、連結部の少なくとも一部が、前後方向における位置が、座骨対応部の位置と重なるように配置されることで、乗員の座骨の左右側方を側部支持部材で支えることができ、座骨付近の体圧を良好に分散させることができる。
【００２０】
この場合、連結部は、前後方向に複数並んで設けられていてもよい。
【００２１】
また、布状支持部材は、乗員の尾骨に対応する尾骨対応部が、当該尾骨対応部の周囲の部分よりも支持力が弱く形成され、側部支持部材が布状支持部材に連結されている連結部の少なくとも一部は、前後方向における位置が、尾骨対応部の位置と重なることが望ましい。
【００２２】
このような構成によれば、連結部の少なくとも一部が、前後方向における位置が、尾骨対応部の位置と重なるように配置されることで、乗員の尾骨の左右側方を側部支持部材で支えることができ、尾骨付近の体圧を良好に分散させることができる。
【発明の効果】
【００２３】
本発明によれば、布状支持部材は、乗員の座骨に対応する座骨対応部が、当該座骨対応部の周囲よりも支持力が弱くなっているので、最も体圧が大きくなりやすい座骨付近の体圧を良好に分散させることができる。
【００２４】
また、尾骨対応部が、当該尾骨対応部の周囲の部分よりも支持力が弱く形成されていることで、尾骨付近の体圧を良好に分散させることができる。
【００２５】
また、架設部材が、底部と、前傾斜部と、後傾斜部とを有することで、布状支持部材が乗員の体形に馴染み、体圧を良好に分散させることができる。また、座骨対応部の前後方向における位置が底部および前傾斜部の両方と重なっていることで、座骨付近の体圧を良好に分散させることができる。
【００２６】
また、尾骨対応部が、底部に配置されていることで、尾骨付近の体圧を良好に分散させることができる。
【００２７】
また、側部支持部材を備えることによって、架設部材を良好に支持することができる。また、側部支持部材によって、乗員の側部を支えることができるので、座骨付近の体圧を良好に分散させることができる。
【００２８】
また、連結部の少なくとも一部は、前後方向における位置が、座骨対応部の位置と重なるように配置されることで、乗員の座骨の左右側方を側部支持部材で支えることができ、座骨付近の体圧を良好に分散させることができる。
【００２９】
また、連結部の少なくとも一部は、前後方向における位置が、尾骨対応部の位置と重なるように配置されることで、乗員の尾骨の左右側方を側部支持部材で支えることができ、尾骨付近の体圧を良好に分散させることができる。
【図面の簡単な説明】
【００３０】
【図１】実施形態に係る乗物用シートを示す斜視図である。
【図２】クッションフレームを示す斜視図である。
【図３】側部支持部材とワイヤの連結部の断面図である。
【図４】クッションフレームの平面図である。
【図５】図４のＸ−Ｘ線断面図である。
【図６】第１変形例における図５に相当する図である。
【図７】第２変形例における図５に相当する図である。
【図８】第３変形例における図２に相当する図である。
【発明を実施するための形態】
【００３１】
以下、添付の図面を参照しながら発明の実施形態について説明する。なお、本明細書において、前後、左右、上下は、シートに座った者（着座者）から見た、前後、左右、上下を基準とする。
図１に示すように、本実施形態の乗物用シートは、自動車に搭載される車両用シートＳとして構成され、シートクッションＳ１と、シートバックＳ２と、ヘッドレストＳ３とを備えている。
【００３２】
図２に示すように、シートクッションＳ１の内部には、シートフレームＦが内蔵されている。シートフレームＦは、シートクッションＳ１の骨格を構成するシートクッションフレームＦ１と、シートバックＳ２の骨格を構成するシートバックフレームＦ２を有する。シートクッションＳ１は、シートクッションフレームＦ１に、ウレタンフォームなどからなり、シートクッションフレームＦ１の上側を覆うシートクッションパッドＰ１（図１参照）と、布地や皮革などからなる表皮材を被せることで構成されている。シートバックＳ２は、シートバックフレームＦ２にシートバックパッドＰ２（図１参照）と、表皮材を被せることで構成されている。
【００３３】
また、シートクッションＳ１は、布状支持部材２０と、一対の架設部材の一例としての一対の金属製のワイヤ３０と、一対の側部支持部材４０とを有している。
【００３４】
シートクッションフレームＦ１は、左右のサイドフレーム１１と、フロントフレーム１２と、リアフレーム１３とを備えている。
左右のサイドフレーム１１は、左右に離間して配置されている。左右のサイドフレーム１１の少なくとも片方の後端部には、シートバックフレームＦ２が図示しないリクライニング機構を介して回動可能に取り付けられている。
【００３５】
フロントフレーム１２とリアフレーム１３は、前後に離間して配置されている。
フロントフレーム１２は、一対のサイドフレーム１１の前端部同士を連結している。詳しくは、フロントフレーム１２は、金属製のパイプからなるパイプフレーム１２Ａと、金属板からなるパンフレーム１２Ｂとを含む。パイプフレーム１２Ａおよびパンフレーム１２Ｂは、いずれも、一対のサイドフレーム１１の前端部同士を連結している。
リアフレーム１３は、金属製のパイプからなり、一対のサイドフレーム１１の後端部同士を連結している。
【００３６】
布状支持部材２０は、一対のサイドフレーム１１の間に配置されている。布状支持部材２０は、乗員からの荷重をシートクッションパッドＰ１を介して下から支持する。布状支持部材２０は、織布または不織布などの布により構成された、適度な柔軟性を有する部材である。布状支持部材２０は、適度な強度を持たせるため、プラスチック、ゴム、エラストマー等の含浸またはコーティング等により補強されていてもよい。また、基材となる布を複数枚重ね合わせてもよい。さらに、布状支持部材２０は、部分的に繊維または糸の密度を変更し、または、部分的に糸の種類を変更してもよい。このような構成によっても、布状支持部材２０の支持力を部分的に変更することが可能である。
【００３７】
布状支持部材２０は、乗員の座骨に対応する座骨対応部２１が、当該座骨対応部２１の周囲の部分よりも支持力が弱く形成されている。本実施形形態においては、座骨対応部２１は、一例として、乗員の左右の座骨に対応する部分（座骨の真下）に形成された２つの貫通孔からなる。座骨対応部２１は、互いに左右に並んで配置されている。
また、布状支持部材２０は、乗員の尾骨に対応する尾骨対応部２２が、当該尾骨対応部２２の周囲の部分よりも支持力が弱く形成されている。本実施形形態においては、尾骨対応部２２は、一例として、乗員の尾骨に対応する部分（尾骨の真下）に形成された１つの貫通孔からなる。尾骨対応部２２は、座骨対応部２１よりも後の位置で、左右中央に配置されている。
なお、ここでの「支持力が弱い」とは、貫通孔や凹みにより支持力が弱い場合や、周囲の部分よりも撓みやすい構造、材料からなることにより支持力が弱い場合を含む。
【００３８】
一対のワイヤ３０は、布状支持部材２０を、フロントフレーム１２とリアフレーム１３に架設するための前後方向に延びる部材である。一対のワイヤ３０は、布状支持部材２０の左右の縁部２０Ｅに沿って配置されて左右の縁部２０Ｅを支持する中間部３１と、フロントフレーム１２のパイプフレーム１２Ａに支持された前支持部３２と、リアフレーム１３に支持された後支持部３３と、を有する。
前支持部３２は、フック形状を有し、パイプフレーム１２Ａに上から引っ掛かっている。後支持部３３は、フック形状を有し、リアフレーム１３に上から引っ掛かっている。
【００３９】
側部支持部材４０は、布状支持部材２０を右側のサイドフレーム１１および左側のサイドフレーム１１に連結する部材である。また、側部支持部材４０は、乗員の臀部および大腿部を側方から支持する部材であり、一対のサイドフレーム１１のそれぞれに固定されている。側部支持部材４０は、板状に形成された樹脂からなり、サイドフレーム１１を覆うカバー部４１と、乗員を支持する支持部４２と、ワイヤ３０と連結した連結部４３とを有する。
【００４０】
カバー部４１は、サイドフレーム１１の前後方向の中央部から後端部にかけて、サイドフレーム１１の上側および左右内側を覆っている。すなわち、側部支持部材４０は、サイドフレーム１１の後端部を覆うインナーカバーを兼ねている。
支持部４２は、カバー部４１の左右内側の下端から、シートフレームＦの左右中央側および下方に向けて斜めに延びている。
連結部４３は、支持部４２の、側部支持部材４０の左右内側に延びた下端部に設けられている。各連結部４３は、前後方向に複数、一例として、３つ並んで設けられている。
【００４１】
図３に示すように、布状支持部材２０の左右方向の端部には、ループ２４が形成されている。具体的には、布状支持部材２０の右端部が折り畳まれて縫合部２３により前後方向に沿って縫われることで、ループ２４が形成されている。ループ２４の中には、ワイヤ３０が通っている。なお、図３には、布状支持部材２０の右端部の周辺を示しているが、左端部周辺も右端部と同様の構造を有している。
【００４２】
図４に示すように、布状支持部材２０の左右の縁部２０Ｅには、ワイヤ３０を露出させる切欠き２５が形成されている。切欠き２５は、連結部４３に対応して、３箇所形成されている。
【００４３】
図３に示すように、連結部４３は、上方に向けて開口したフック形状を有している。ワイヤ３０の中間部３１は、布状支持部材２０の切欠き２５から露出した部分が、連結部４３のフックに上から係合している。これにより、側部支持部材４０は、中間部３１に連結されている。そして、側部支持部材４０は、ワイヤ３０を介して、布状支持部材２０の側部に連結されている。
【００４４】
図４に示すように、側部支持部材４０の連結部４３の少なくとも一部は、前後方向における位置が、座骨対応部２１の位置と重なっている。具体的には、前後に並ぶ３つの連結部４３のうち、前から２つの連結部４３は、その全体が、前後方向において座骨対応部２１と重なる位置に配置されている。
【００４５】
また、側部支持部材４０の連結部４３の少なくとも一部は、前後方向における位置が、尾骨対応部２２の位置と重なっている。具体的には、前後に並ぶ３つの連結部４３のうち、一番後ろの連結部４３は、その一部が、前後方向において尾骨対応部２２と重なる位置に配置されている（Ｗで示した範囲を参照）。
【００４６】
図５に示すように、ワイヤ３０の中間部３１は、底部３１Ａと、前傾斜部３１Ｂと、後傾斜部３１Ｃとを有する。
底部３１Ａは、最も下に位置し、略水平に前後に延びるように配置されている。
前傾斜部３１Ｂは、底部３１Ａと前支持部３２を繋ぎ、前側が上に位置するように底部３１Ａに対して傾斜している。
後傾斜部３１Ｃは、底部３１Ａと後支持部３３を繋ぎ、後側が上に位置するように底部３１Ａに対して傾斜している。後傾斜部３１Ｃの底部３１Ａに対する傾きθＢは、前傾斜部３１Ｂの底部３１Ａに対する傾きθＡより大きい。
布状支持部材２０は、ワイヤ３０の形状に倣い、底部３１Ａに対応する底布部２０Ａと、前傾斜部３１Ｂに対応する傾斜した前布部２０Ｂと、後傾斜部３１Ｃに対応する傾斜した後布部２０Ｃとを有している。
【００４７】
座骨対応部２１は、前後方向における位置が、底部３１Ａおよび前傾斜部３１Ｂの両方と重なっている（図４も参照）。すなわち、座骨対応部２１は、底布部２０Ａと前布部２０Ｂに渡って配置されている。
尾骨対応部２２は、前後方向において、底部３１Ａの範囲に位置している。すなわち、尾骨対応部２２は、底布部２０Ａに配置されている。
【００４８】
以上のように構成された車両用シートＳによれば、次のような作用効果を奏することができる。
布状支持部材２０は、金属のＳバネ等に比較して変形しやすいため、形状が乗員の体形に馴染みやすく、体圧が分散されやすい。その上、布状支持部材２０は、乗員の座骨に対応する座骨対応部２１が、当該座骨対応部２１の周囲よりも支持力が弱くなっているので、最も体圧が大きくなりやすい座骨付近の体圧を良好に分散させることができる。
【００４９】
また、布状支持部材２０は、乗員の尾骨に対応する尾骨対応部２２が、当該尾骨対応部２２の周囲よりも支持力が弱くなっているので、尾骨付近の体圧を良好に分散させることができる。
【００５０】
また、ワイヤ３０が、底部３１Ａと、前傾斜部３１Ｂと、後傾斜部３１Ｃとを有することで、布状支持部材２０が乗員の体形に馴染みやすいので、体圧を良好に分散させることができる。また、座骨対応部２１の前後方向における位置が、底部３１Ａおよび前傾斜部３１Ｂの両方と重なっていることで、座骨付近の体圧を良好に分散させることができる。
【００５１】
また、尾骨対応部２２は、前後方向において、底部３１Ａの範囲に位置しているので、尾骨付近の体圧を良好に分散させることができる。
【００５２】
また、側部支持部材４０は、ワイヤ３０の中間部３１に連結されているので、側部支持部材４０によって、ワイヤ３０を支持し、それにより、布状支持部材２０に局部的な力を掛けることなく布状支持部材２０を支持することができる。また、側部支持部材４０によって、乗員の臀部や大腿部の側部を支えることができるので、座骨付近の体圧を良好に分散させることができる。
【００５３】
また、連結部４３の少なくとも一部は、前後方向における位置が、座骨対応部２１の位置と重なるように配置されている。このため、乗員の座骨の左右側方を側部支持部材４０で支えることができ、座骨付近の体圧を良好に分散させることができる。
【００５４】
また、連結部４３の少なくとも一部は、前後方向における位置が、尾骨対応部２２の位置と重なるように配置されている。このため、乗員の尾骨の左右側方を側部支持部材４０で支えることができ、尾骨付近の体圧を良好に分散させることができる。
【００５５】
以上に発明の一実施形態について説明したが、本発明は前記実施形態に限定されるものではない。具体的な構成については、下記のように発明の趣旨を逸脱しない範囲で適宜変更が可能である。
【００５６】
例えば、前記実施形態においては、布状支持部材２０が一枚の布からなっていたが、複数枚の布に分割して構成してもよい。例えば、図６に示す第１変形例のように、後布部２０Ｃは底布部２０Ａと別体に構成されていてもよい。
【００５７】
また、前記実施形態においては、後傾斜部３１Ｃが、底部３１Ａに対してθＢで傾く部分のみから構成されていたが、図７に示すように、後傾斜部３１Ｃが、底部３１Ａに対してθＢで傾く第１後傾斜部１３１Ｃと、底部３１Ａと第１後傾斜部１３１Ｃを繋ぎ、θＢよりも小さい角度θＣで底部３１Ａに対して傾く第２後傾斜部１３１Ｄとから構成されていてもよい。この場合、布状支持部材２０も、第１後傾斜部１３１Ｃに対応する急傾斜部１２１Ｃと、第２後傾斜部１３１Ｄに対応する緩傾斜部１２１Ｄとを有することができる。
【００５８】
このような構成によれば、布状支持部材２０をより乗員の体型に馴染んだ形として、体圧の分散を図ることができる。
また、この場合においては、尾骨対応部２２は、前後方向における位置が、底部３１Ａおよび第１後傾斜部１３１Ｃの両方と重なっていてもよい。
【００５９】
前記実施形態においては、座骨対応部２１および尾骨対応部２２は、貫通孔により形成されていたが、図８に示すように、薄い撓みやすい部材が配置されていてもよい。図８に示す例では、座骨対応部２２１および尾骨対応部２２２に周囲の布よりも伸縮性が高いメッシュが配置されている。メッシュは、周囲のより丈夫な布の部分に接着、溶着または縫製などにより固定されている。
【００６０】
このように、周囲より撓みやすいシート状の部材を座骨対応部２２１および尾骨対応部２２２に配置することで、座骨対応部２２１および尾骨対応部２２２の支持力を調整し、体圧を良好に分散させることができる。
【００６１】
ここで、座骨対応部２２１と尾骨対応部２２２の支持力は同じでなくてもよく、例えば、座骨対応部２２１のメッシュを粗くすることにより、座骨対応部２２１の支持力が尾骨対応部２２２の支持力より弱く形成されていてもよい。このような構成により、最も荷重が掛かる座骨周辺の体圧を良好に分散させることができる。
【００６２】
また、フロントフレーム１２のうち、パイプフレーム１２Ａにワイヤ３０を支持させていたが、パンフレーム１２Ｂにワイヤ３０を支持させてもよい。リアフレーム１３においても同様である。
【００６３】
また、前記実施形態においては、前側から２つの連結部４３は、前後方向において、全体が座骨対応部２１と重なっていたが、前後方向において、一部のみが座骨対応部２１と重なっていてもよい。
【００６４】
また、前記実施形態においては、最も後の連結部４３は、前後方向において、一部のみが尾骨対応部２２と重なっていたが、前後方向において、全体が尾骨対応部２２と重なっていてもよい。
【００６５】
また、連結部４３は、前後方向において、座骨対応部２１および尾骨対応部２２と異なる位置に配置されていてもよい。
【００６６】
前記実施形態においては、架設部材としての金属製のワイヤ３０により、布状支持部材２０をシートクッションフレームＦ１に架設させていたが、架設部材は、金属以外のワイヤであってもよいし、樹脂などの線状の部材でもよい。また、架設部材は、左右のサイドフレームに架け渡されていてもよい。
【００６７】
また、側部支持部材４０は、ワイヤ３０を介して布状支持部材４０と連結されていたが、他の構成により連結されていてもよい。例えば、布状支持部材にハトメを設け、側部支持部材をハトメに引っ掛けたり、ハトメと側部支持部材を他の紐やフック等で連結することもできる。
【００６８】
また、前記実施形態においては、布状支持部材をシートクッションに設けていたが、シートバックに布状支持部材を設け、乗員からの荷重をシートバックパッドを介して布状支持部材で受けるように構成することもできる。
【００６９】
また、前記実施形態では、乗物用シートとして自動車に搭載される車両用シートＳを例示したが、これに限定されず、自動車以外の乗物、例えば、鉄道車両や船舶、航空機などに搭載されるシートであってもよい。
【００７０】
また、前記した実施形態および変形例で説明した各要素を、任意に組み合わせて実施してもよい。
【符号の説明】
【００７１】
１１    サイドフレーム
１２    フロントフレーム
１２Ａ  パイプフレーム
１２Ｂ  パンフレーム
１３    リアフレーム
２０    布状支持部材
２０Ｅ  縁部
２１    座骨対応部
２２    尾骨対応部
３０    ワイヤ
３１    中間部
３１Ａ  底部
３１Ｂ  前傾斜部
３１Ｃ  後傾斜部
３２    前支持部
３３    後支持部
４０    側部支持部材
４３    連結部
Ｆ      シートフレーム
Ｆ１    シートクッションフレーム
Ｐ１    シートクッションパッド
Ｓ      車両用シート
【図１】
2020044878.tif 000003
【図２】
2020044878.tif 000004
【図３】
2020044878.tif 000005
【図４】
2020044878.tif 000006
【図５】
2020044878.tif 000007
【図６】
2020044878.tif 000008
【図７】
2020044878.tif 000009
【図８】
2020044878.tif 000010